(57)【特許請求の範囲】
【請求項１】
ボルト保持部に保持されたボルトにより洋風便器本体に取り付けられるベースプレートと、該ベースプレート上に固定され、該洋風便器本体に少なくとも局部洗浄機能を付与可能な機能機構とを備え、該ボルト保持部は、水平な上面をもち、該ボルトの頭部を該ボルトの自重により載置可能な載置部と、該載置部に上下に貫設され、該ボルトの軸部を下方に突出させる通孔と、該載置部に隣接して該通孔と連通し、該ボルトの交換を許容する交換用開口とからなる局部洗浄装置において、
前記交換用開口には、輸送時に保持した前記ボルトの落下を防止し、交換時に変形して該ボルトを交換可能な落下防止手段が設けられていることを特徴とする局部洗浄装置。
【請求項２】
ベースプレートは樹脂製であり、落下防止手段は該樹脂からなる破壊可能なリブであることを特徴とする請求項１記載の局部洗浄装置。
【発明の詳細な説明】
【０００１】
【発明が属する技術分野】
本発明は局部洗浄装置に関する。
【０００２】
【従来の技術】
局部洗浄装置は、洋風便器本体に取り付けられるベースプレートと、このベースプレート上に固定され、洋風便器本体に少なくとも局部洗浄機能を付与可能な機能機構とを備えている。ベースプレートには一対のボルト保持部が設けられており、これらボルト保持部に保持された一対のボルトによりベースプレートが洋風便器本体に取り付けられる。
【０００３】
従来の局部洗浄装置におけるベースプレートのボルト保持部は、載置部と通孔と交換用開口とからなる。載置部は、水平な上面をもち、ボルトの頭部をボルトの自重により載置可能になっている。通孔は、その載置部に上下に貫設され、ボルトの軸部を下方に突出させている。また、交換用開口は、載置部に隣接して通孔と連通し、ボルトの交換を許容するようになっている。
【０００４】
このため、従来の局部洗浄装置は、載置部にボルトの頭部を載置し、通孔からそのボルトの軸部を下方に突出させた状態で出荷され得る。このため、その局部洗浄装置を購入し、洋風便器本体にその局部洗浄装置を設置しようとする設置者は、そのボルトを洋風便器本体の便座取付穴に挿通してナットで締結することにより、ベースプレートを洋風便器本体に簡易に取り付けることが可能となる。
【０００５】
また、かかる設置時において、ボルトが破損等した場合には、破損等したボルトを載置部及び通孔から交換用開口に移動させることにより取り外し、別途用意されたボルトを交換用開口から載置部及び通孔に移動させ、そのボルトによりベースプレートを洋風便器本体に簡易に取り付けることが可能となる。
【０００６】
【発明が解決しようとする課題】
しかし、上記従来の局部洗浄装置では、輸送途中において、ボルトが載置部及び通孔から交換用開口に移動し、交換用開口から外れやすい。こうして局部洗浄装置から分離されたボルトは、梱包内に紛れ込んでしまうこととなり、設置者にとって設置が面倒なこととなりやすい。
【０００７】
他方、輸送途中にボルトが交換用開口から外れないように、交換用開口を閉鎖するとすれば、設置時にボルトが破損等した場合において、破損等したボルトを取り外し難いとともに、別途用意するボルトを載置部及び通孔に設けることが困難となり、やはり設置を簡易に終えることができなくなってしまう。
【０００８】
本発明は、上記従来の実情に鑑みてなされたものであって、設置が容易な局部洗浄装置を提供することを解決すべき課題としている。
【０００９】
【課題を解決するための手段】
本発明の局部洗浄装置は、ボルト保持部に保持されたボルトにより洋風便器本体に取り付けられるベースプレートと、該ベースプレート上に固定され、該洋風便器本体に少なくとも局部洗浄機能を付与可能な機能機構とを備え、該ボルト保持部は、水平な上面をもち、該ボルトの頭部を該ボルトの自重により載置可能な載置部と、該載置部に上下に貫設され、該ボルトの軸部を下方に突出させる通孔と、該載置部に隣接して該通孔と連通し、該ボルトの交換を許容する交換用開口とからなる局部洗浄装置において、
【００１０】
前記交換用開口には、輸送時に保持した前記ボルトの落下を防止し、交換時に変形して該ボルトを交換可能な落下防止手段が設けられていることを特徴とする。
【００１１】
本発明の局部洗浄装置では、輸送途中において、ボルトが載置部及び通孔から交換用開口に移動しても、落下防止手段が輸送時に保持したボルトの落下を防止することから、そのボルトが交換用開口から外れることはない。
【００１２】
他方、この局部洗浄装置では、設置時にボルトが破損等した場合には、落下防止手段を変形させ、破損等したボルトを容易に取り出すことができるようにしているとともに、別途用意するボルトを載置部及び通孔に設けることができる。
【００１３】
したがって、本発明の局部洗浄装置は、設置者が容易に設置することができるものである。
【００１４】
ベースプレートが樹脂製である場合、落下防止手段としてその樹脂からなる破壊可能なリブを採用することができる。こうであれば、特別な落下防止手段を採用する必要がないことから、ベースプレート、ひいては局部洗浄装置の製造コストの低廉化を実現できる。
【００１５】
【発明の実施の形態】
以下、本発明を具体化した実施形態を図面を参照しつつ説明する。
【００１６】
実施形態の局部洗浄装置は、図１に示すように、図示しない洋風便器本体に取り付けられる樹脂製のベースプレート１と、このベースプレート１上に固定され、洋風便器本体に少なくとも局部洗浄機能を付与可能な機能機構２とを備えている。これらベースプレート１及び機能機構２は樹脂製の本体カバー５により覆われており、本体カバー５には図示しない暖房便座及び便蓋が揺動可能に設けられている。
【００１７】
ベースプレート１には、図２に示すように、一対のボルト保持部３が形成されている。これらボルト保持部３は、載置部３ａと通孔３ｂと交換用開口３ｃとからなる。載置部３ａは、水平な上面をもち、ボルト４の頭部をボルト４の自重により載置可能になっている。通孔３ｂは、その載置部３ａに上下に貫設され、ボルト４の軸部を下方に突出させている。また、交換用開口３ｃは、載置部３ａに隣接して通孔３ｂと連通し、ボルト４の交換を許容するようになっている。
【００１８】
ここで、この局部洗浄装置の最も特徴的な構成として、交換用開口３ｃには載置部３ａより薄肉に形成され、通孔３ｂと同様の幅で間隔を有する一対のリブ３ｄが落下防止手段として設けられている。
【００１９】
この局部洗浄装置も、載置部３ａにボルト４の頭部を載置し、通孔３ｂからそのボルト４の軸部を下方に突出させた状態で出荷され得る。このため、その局部洗浄装置を購入し、洋風便器本体にその局部洗浄装置を設置しようとする設置者は、そのボルト４を洋風便器本体の便座取付穴に挿通してナットで締結することにより、ベースプレート１を洋風便器本体に簡易に取り付けることが可能となる。
【００２０】
輸送途中において、ボルト４が載置部３ａ及び通孔３ｂから交換用開口３ｃに移動した場合、両リブ３ｄが輸送時に保持したボルト４の落下を防止することから、そのボルト４が交換用開口３ｃから外れることはない。
【００２１】
他方、この局部洗浄装置では、設置時にボルト４が破損等した場合には、そのボルト４を載置部３ａ及び通孔３ｂから交換用開口３ｃに移動させ、ボルト４を下方に引くことによりリブ３ｄを破壊する。これにより、破損等したボルト４を容易に取り出すことができるようにしている。この後、別途用意するボルトを交換用開口３ｃから載置部３ａ及び通孔３ｂに設けることができる。
【００２２】
したがって、この局部洗浄装置は、設置者が容易に設置することができるものである。
【図面の簡単な説明】
【図１】実施形態に係る局部洗浄装置の一部斜視図である。
【図２】実施形態に係り、局部洗浄装置の要部斜視図である。
【図３】実施形態に係り、局部洗浄装置の要部断面図である。
【符号の説明】
３…ボルト保持部
４…ボルト
１…ベースプレート
２…機能機構
３ａ…載置部
３ｂ…通孔
３ｃ…交換用開口
３ｄ…落下防止手段、リブ
【図１】
0003628943.tif 000002
【図２】
0003628943.tif 000003
【図３】
0003628943.tif 000004